(57)【要約】【課題】  電気光学装置の冷却に際して利用者に知覚される作動音を低減する。【解決手段】  電気光学装置３１の近傍にはこれを冷却するファン３６が配置される。検出装置１０は、電気光学装置３１の周囲の音量に応じたレベルとなる検出信号Ｓvを生成する。例えば、検出装置１０は、電子機器Ｄが設置される移動体の速度Ｖに応じたレベルの検出信号Ｓvを生成する。制御装置２０は、検出信号Ｓvのレベルに応じてファン３６の回転数を制御する。例えば、制御装置２０は、速度Ｖが高速であるほど回転数が多くなるようにファン３６を制御する。【選択図】      図１
2006313188.tif 000002
【特許請求の範囲】
【請求項１】
複数の電気光学素子を備えた電気光学装置と、
前記電気光学装置を冷却する冷却機構と、
前記電気光学装置の周囲の音量を検出し、その検出した周囲の音量に対応したレベルとなる検出信号を生成する検出手段と、
前記検出手段が生成した検出信号のレベルに応じて前記冷却機構の冷却能力を制御する制御手段と
を具備する電子機器。
【請求項２】
移動体に設置される電子機器であって、
複数の電気光学素子を備えた電気光学装置と、
前記電気光学装置を冷却する冷却機構と、
前記移動体の速度を検出する検出手段と、
前記検出手段によって検出された速度が高速であるほど冷却能力が高くなるように前記冷却機構を制御する制御手段と
を具備する電子機器。
【請求項３】
前記冷却機構は、前記電気光学装置に対して送風または吸気するファンを含み、
前記制御手段は、前記ファンの回転数を制御する
請求項１または請求項２に記載の電子機器。
【請求項４】
前記冷却機構は、前記各電気光学素子の配列面と略垂直な方向に回転軸を向けた姿勢で前記電気光学装置の背面側に設置された少なくともひとつのファンを含む
請求項１または請求項２に記載の電子機器。
【請求項５】
前記ファンは、前記電気光学装置と前記ファンとの間隙にある空気を吸気する
請求項４に記載の電子機器。
【請求項６】
前記電気光学装置の背面側に配置されて前記各電気光学素子の配列面と略垂直な方向に突出する複数のフィンを具備する
請求項１から請求項５の何れかに記載の電子機器。
【請求項７】
前記各フィンよりも熱伝導率が高い材料によって形成されて前記各フィンと前記電気光学装置との間に介在する熱伝導部を具備する
請求項６に記載の電子機器。
【請求項８】
前記複数の電気光学素子が分布する素子領域のうち中央寄りの第１領域に対応する複数のフィンは、前記第１領域よりも前記素子領域の周縁寄りの第２領域に対応する複数のフィンよりも密に分布する請求項６または請求項７に記載の電子機器。
【請求項９】
複数の電気光学素子を備えた電気光学装置と、前記電気光学装置を冷却する冷却機構とを具備する電子機器を制御する方法であって、
前記電気光学装置の周囲の音量に対応したレベルとなる検出信号を生成し、
この生成した検出信号のレベルに応じて前記冷却機構の冷却能力を制御する
電子機器の制御方法。
【請求項１０】
複数の電気光学素子を備えた電気光学装置と、前記電気光学装置を冷却する冷却機構とを具備する電子機器を制御する方法であって、
当該電子機器が設置される移動体の速度を検出し、
この検出した速度が高速であるほど冷却能力が高くなるように前記冷却機構を制御する
電子機器の制御方法。
【発明の詳細な説明】
【技術分野】
【０００１】
本発明は、液晶素子や有機ＥＬ（ElectroLuminescence）素子といった電気光学素子を備えた電気光学装置を冷却する技術に関する。
【背景技術】
【０００２】
この種の電気光学素子は高温の環境で使用されるとその特性が劣化する。特に有機ＥＬ素子は加熱による特性の劣化が顕著である。このような特性の劣化を防止するために、例えば特許文献１や特許文献２には、ファンからの冷却風の供給によって電気光学装置を冷却する技術が開示されている。
【特許文献１】特開２００３−３０２６１９号公報（図４）
【特許文献２】特開２００５−２５１１１号公報（図１）
【発明の開示】
【発明が解決しようとする課題】
【０００３】
ところで、冷却の効率化という観点のみからすれば電気光学装置に供給される冷却風の風量は大きいことが望ましい。しかしながら、冷却風の風量を余りに増加させるとファンの作動音が増大し、これが利用者によって耳障りな騒音として知覚されるという問題がある。本発明は、このような事情に鑑みてなされたものであり、電気光学装置の冷却に際して利用者に感知される作動音を低減するという課題の解決を目的としている。
【課題を解決するための手段】
【０００４】
この課題を解決するために、本発明に係る電子機器は、複数の電気光学素子を備えた電気光学装置と、電気光学装置を冷却する冷却機構（例えば図１に示されるファン３６）と、電気光学装置の周囲の音量に対応したレベルとなる検出信号を生成する検出手段と、検出手段が生成した検出信号のレベルに応じて冷却機構の冷却能力を制御する制御手段とを具備する。
【０００５】
本発明においては、電気光学装置の周囲の音量に対応した検出信号のレベルに応じて冷却機構の冷却能力が制御されるから、例えば電気光学装置の周囲の音量が大きいほど冷却機構の冷却能力を上昇させることができる。ここで、冷却機構の作動音は冷却能力が上昇するほど増大する。換言すると、冷却機構の作動音は冷却能力が低下するほど減少する。したがって、本発明によれば、周囲の音量が小さいときに冷却機構の作動音を抑制することによって、冷却機構の作動音が利用者によって耳障りな騒音として知覚される事態を回避することができる。一方、周囲の音量が大きいときには、冷却機構の冷却能力を上昇させることによって電気光学装置を充分に冷却し、これにより電気光学素子の特性の劣化を抑制することができる。また、周囲の音量が大きいときに冷却能力を上昇させても、利用者が実際に知覚する冷却機構の作動音は、周囲の音量が小さい場合と比較すれば相対的に抑制される。すなわち、本発明によれば、冷却機構の作動音を耳障りな騒音として利用者に感知させることなく電気光学装置を充分に冷却することができる。
【０００６】
なお、本発明における電気光学素子は、電流や電圧といった電気的なエネルギの付与によって輝度や透過率といった光学的な特性が変化する素子である。電気光学素子の典型例は、有機ＥＬ材料を利用した発光素子や液晶材料を利用した液晶素子であるが、本発明が適用される範囲はこれに限定されない。例えば、液晶素子や、無機ＥＬ素子、フィールド・エミッション（ＦＥ）素子、表面導電型エミッション（ＳＥ：Surface-conduction  Electron-emitter）素子、弾道電子放出（ＢＳ：Ballistic  electron  Surface  emitting）素子、ＬＥＤ（Light  Emitting  Diode）素子、電気泳動素子など様々な電気光学素子を本発明に利用することが可能である。また、各電気光学素子の平面的な形状やその配列の態様は任意である。例えば、各々が同形状である複数の電気光学素子がマトリクス状に配列された構成（ドットマトリクス方式）としてもよいし、各々が文字や記号などの特定の形状に成形された複数の電気光学素子が配列された構成（セグメント方式）としてもよい。
【０００７】
ところで、本発明における検出手段は、電気光学装置の周囲の音量に対応したレベルの検出信号を生成する手段である。この検出手段としては、電気光学装置の周囲の音声を直接的に検出する手段（例えばマイクロホンなどの収音機器）のほか、電気光学装置の周囲の音量に連動して変化する物理量を検出する手段を採用することができる。例えば、車両などの移動体においては、その進行の速度や加速度が高速であるほど、電気光学装置が設置される当該移動体の内部の音量は増大する。したがって、移動体の速度を検出する手段を本発明における検出手段として採用してもよい。すなわち、本発明の具体的な態様に係る電子機器は、車両などの移動体に設置される電子機器であって、複数の電気光学素子を備えた電気光学装置と、電気光学装置を冷却する冷却機構と、移動体の速度を検出する検出手段と、検出手段によって検出された速度が高速であるほど冷却能力が高くなるように冷却機構を制御する制御手段とを具備する。この構成によっても、移動体の内部にて電気光学装置を使用する利用者が感知する作動音を低減しながら電気光学装置を充分に冷却することができる。
【０００８】
本発明における冷却機構の典型例としては、［１］電気光学装置に対する送風または吸気する空冷式の機構（ファン）、［２］冷媒となる流体を電気光学装置に隣接する管路に流通させる水冷式の機構、あるいは、［３］ペルチェ素子に代表される熱電変換素子によって熱移動を発生させる熱電変換式の機構などがある。このうち空冷式の冷却機構を採用した電子機器において、制御手段は、ファンの回転数を制御することによって冷却能力を調整する。また、水冷式の冷却機構を採用した構成において、制御手段は、管路に流通する流体の流量を制御することによって冷却能力を調整する。さらに、熱電変換式の冷却機構を採用した構成において、制御手段は、熱電変換素子に供給される電力を制御することによって冷却能力を調整する。もっとも、本発明における冷却機構の態様は以上の例示に何ら限定されない。
【０００９】
ところで、空冷式の冷却機構であるファンを採用した構成において、特許文献１や特許文献２に開示されているように電気光学装置の側方にファンを配置した場合には、複数の電気光学素子が配列された領域の全域にわたって冷却の程度を均一化することが困難である。すなわち、ファンに近い位置（すなわち基板の周縁に近い位置）の電気光学素子が冷却されたとしても、このファンから遠い位置にある電気光学素子が充分に冷却されない場合がある。このように冷却の程度にムラがあると、各々の劣化の程度が電気光学素子ごとに相違し、この結果として各電気光学素子の階調にバラツキが発生するという問題がある。この階調のバラツキは、電気光学装置を表示装置として利用した構成においては表示のムラとして利用者に知覚される。このような問題を解消するために、冷却機構は、各電気光学素子の配列面と略垂直な方向に回転軸を向けた姿勢で電気光学装置の背面側に設置された少なくともひとつのファンを含むことが望ましい。この態様によれば、電気光学装置の背面側にファンが配置されているから、各電気光学素子を均一に冷却することができる。したがって、冷却の程度の不均一性に起因した階調のムラを抑制することができる。
【００１０】
また、空冷式の冷却機構としては、電気光学装置に対して送風する機構を採用することができる。ただし、この構成においては、電気光学素子が配列された領域の全域にわたって均一に送風することは困難である。したがって、本発明におけるファンは、電気光学装置とファンとの間隙にある空気を吸気する機構であることが望ましい。この態様によれば、電気光学素子が配列された領域の全域を略均一に冷却することが可能となる。
【００１１】
また、さらに効率的な冷却を実現するために、電気光学装置にフィン（放熱板）が設置された構成としてもよい。この構成におけるフィンは、例えば、電気光学装置の背面側に配置されて各電気光学素子の配列面と略垂直な方向に突出する。また、各フィンよりも熱伝導率が高い材料によって形成された熱伝導部（例えば図２に示される熱伝導部３４５）を各フィンと電気光学装置との間に介在させた構成とすれば、電気光学装置からフィンへの熱拡散を促進してさらに効率的に電気光学装置を冷却することができる。
【００１２】
ところで、各電気光学素子はそれ自身が発熱源となる。したがって、特定の領域（素子領域）に複数の電気光学素子が配列された構成においては、その素子領域の周縁に沿う領域（第２領域）に位置する電気光学素子よりもその中央寄りの領域（第１領域）に位置する電気光学素子（すなわち周囲が他の電気光学素子によって包囲された電気光学素子）の方が高温となり易い。そこで、本発明の望ましい態様においては、第１領域に発生した熱がより効率的に放射されるようにフィンの形状が選定される。すなわち、この態様においては、第１領域に対応する複数のフィンが、素子領域の周縁寄りの第２領域に対応する複数のフィンよりも密に分布する。
【００１３】
本発明は、電子機器を制御するための方法としても特定される。この方法は、複数の電気光学素子を備えた電気光学装置と、電気光学装置を冷却する冷却機構とを具備する電子機器を制御する方法であって、電気光学装置の周囲の音量に対応したレベルとなる検出信号を生成し、この生成した検出信号のレベルに応じて冷却機構の冷却能力を制御することを特徴とする。また、移動体に設置される電子機器を制御する方法においては、移動体の速度が検出されたうえで、この検出された速度が高速であるほど冷却能力が高くなるように冷却機構が制御される。
【００１４】
本発明における制御手段は、冷却機構の制御に専用されるＤＳＰ（Digital  Signal  Processor）などのハードウェアのほか、ＣＰＵ（Central  Processing  Unit）などの演算処理装置とプログラムとの協働によっても実現される。このプログラムは、複数の電気光学素子を備えた電気光学装置と、電気光学装置を冷却する冷却機構と、電気光学装置の周囲の音量に対応したレベルとなる検出信号を生成する検出手段とを具備する電子機器のコンピュータに、検出手段が生成した検出信号のレベルに応じて冷却機構の冷却能力を制御する制御処理を実行させる内容となる。また、移動体に設置される電子機器を制御するためのプログラムは、移動体の速度が高速であるほど冷却能力が高くなるように冷却機構を制御する制御処理をコンピュータに実行させる内容となる。
【発明を実施するための最良の形態】
【００１５】
＜Ａ：電子機器の構成＞
図１は、本発明に係る電子機器の構成を示すブロック図である。この電子機器Ｄは、自動車など各種の移動体のうち利用者が収容される空間に配設されて移動体の走行に関する様々な情報（例えば移動体の速度や回転数、あるいは燃料の残量や各種の警告）を表示するインストルメントパネル（車載計器）であり、図１に示されるように、これらの情報を表示する表示モジュール３０を具備する。
【００１６】
この表示モジュール３０は、多数の電気光学素子を有する電気光学装置３１と、この電気光学装置３１を駆動する駆動回路３２とを含む。図２は、電気光学装置３１とその周辺の要素との構成を示す断面図である。図２に示されるように、電気光学装置３１は、ガラスやプラスチックからなる板状の基板３１１と、この基板３１１の表面にマトリクス状に配列された多数の電気光学素子Ｐと、各電気光学素子Ｐを被覆するように基板３１１に固定された光透過性の封止板３１３とを含む。各電気光学素子Ｐは、有機ＥＬ材料からなる発光層を陽極と陰極との間隙に介在させた素子である。本実施形態における電気光学装置３１は、各電気光学素子Ｐからの発光を基板３１１とは反対側に出射させて画像の表示に利用するトップエミッションタイプの表示装置である。
【００１７】
図１に示される駆動回路３２は、外部から供給される映像データに基づいて各電気光学素子Ｐに駆動信号（各電気光学素子を選択するための走査信号や各電気光学素子の階調を指定するデータ信号）を供給し、これによって各電気光学素子Ｐの階調（輝度）を制御する。この結果として映像データに応じた所望の画像が表示される。
【００１８】
駆動回路３２や電気光学素子Ｐは画像の表示に際して発熱する。特に、本実施形態のように有機ＥＬ材料からなる発光層を利用した電気光学素子Ｐは電流の供給によって駆動される素子であるため、液晶など他の電気光学素子と比較するとそれ自体の発熱が顕著である。このような熱による電気光学素子Ｐの劣化を防止してその寿命を長期化するために、本実施形態の表示モジュール３０は、図１および図２に示されるように、電気光学装置３１の熱を周囲に放射する放熱部３４と、この電気光学装置３１を冷却するためのファン（送風機）３６とを含む。
【００１９】
図２に示されるように、放熱部３４は電気光学装置３１の背面側（すなわち電気光学素子Ｐからの出射光の進行側とは反対側）に設置される。より具体的には、放熱部３４は、基板３１１の背面側の表面に接着剤３３によって固定される。この放熱部３４は、電気光学素子Ｐが配列する領域よりも僅かに大きいサイズに成形された板状の基体３４１と、この基体３４１のうち電気光学装置３１とは反対側の表面から相互に間隔をあけて略垂直に突出する複数のフィン３４３と、基体３４１のうちフィン３４３とは反対側の表面の略全域にわたって貼着された熱伝導部３４５とを含む。基体３４１と複数のフィン３４３とはアルミニウム（Ａｌ）などの金属によって相互に一体に形成される。一方、熱伝導部３４５は、基体３４１およびフィン３４３よりも熱伝導性が高い材料（例えば銅（Ｃｕ）などの金属）によって形成された板状の部材である。このように熱伝導部３４５をフィン３４３と電気光学装置３１との間に介在させることにより、電気光学装置３１からフィン３４３への熱拡散を促進することができる。
【００２０】
図３は、電気光学装置３１をその背面側からみたときの構造を模式的に示す平面図である。図２および図３に示されるように、本実施形態においては、放熱部３４を挟んで電気光学装置３１の基板３１１と対向するように３個のファン３６が電気光学装置３１の背面側に配置される。各ファン３６は、基板３１１の表面（すなわち電気光学素子Ｐの配列面）と略垂直な方向に回転軸Ｌを向けた姿勢に固定され、図２に矢印で示されるように、各々と電気光学装置３１との間隙に存在する空気（すなわちフィン３４３から熱が放射された空気）を吸気したうえで外部に排出する。このように電気光学装置３１から吸気する構成によれば、電気光学装置３１に対して冷却風を送風する構成と比較して、各電気光学素子Ｐを均等に冷却することができる。
【００２１】
ファン３６の単位時間当たりの回転数は外部から入力される制御信号Ｓcのレベルに応じて任意に制御される。ファン３６の回転数が多いほど電気光学装置３１を冷却する能力は上昇する。したがって、制御信号Ｓcは、ファン３６による冷却能力を制御するための信号であると言うことができる。一方、ファン３６を稼動するとその作動音（例えばモータの回転音）が発生する。この作動音（以下「冷却作動音」という）は、ファン３６の回転数が多いほど（すなわち冷却能力が高いほど）増大する。
【００２２】
ところで、内燃機関やモータといった動力源には移動体の走行に際して作動音（以下「走行作動音」という）が発生する。利用者が実際に知覚するファン３６の冷却作動音は、走行作動音が小さいほど相対的に顕著となる。換言すると、走行作動音が大きい場合には、利用者が実際に知覚する冷却作動音は相対的に低減される（利用者にとってそれほど気にならない）。これらの事情を考慮して、本実施形態においては、走行作動音の大小に応じてファン３６の冷却能力（より具体的には回転数）が制御される。ここで、走行作動音は移動体が高速で進行するほど増大する。そこで、本実施形態においては、走行作動音を直接的に検出するのではなく移動体の速度を検出し、この検出された速度に応じてファン３６の回転数が制御されるようになっている。図１に示される検出装置１０および制御装置２０はこのようなファン３６の制御を実現するための手段である。
【００２３】
検出装置１０は、移動体の速度を検出するセンサである。より具体的には、検出装置１０は、例えば移動体の車軸の回転を検出し、その回転の速度（すなわち移動体の速度）に応じたレベルの検出信号Ｓvを生成して出力する。上述したように走行作動音は移動体が高速で進行するほど増大するから、検出装置１０は、走行作動音の音量に対応したレベルとなる検出信号Ｓvを生成する手段としても把握される。
【００２４】
一方、制御装置２０は、検出装置１０による検出の結果に基づいてファン３６の回転数を制御する手段であり、コントローラ２１とＤ/Ａ変換器２３とを有する。検出装置１０から出力された検出信号Ｓvはコントローラ２１に入力される。このコントローラ２１は、検出信号Ｓvに基づいて移動体の速度Ｖを算定するとともに、この速度Ｖに対応したファン３６の回転数Ｒをデジタルデータとして出力する手段である。さらに詳述すると、コントローラ２１は、速度Ｖが大きいほど（すなわち走行作動音が大きいほど）回転数Ｒとして大きい数値を指定する。換言すると、コントローラ２１は、速度Ｖが小さいほど小さい数値を回転数Ｒとして指定する。なお、速度Ｖに応じた回転数Ｒを算定するための方法は任意である。例えば、速度Ｖと回転数Ｒとが対応付けられたルックアップテーブルを予めコントローラ２１に保持させておき、このルックアップテーブルに基づいて実際の速度Ｖに応じた回転数Ｒが検索される構成としてもよい。また、速度Ｖに対して所定の演算を実施することによって回転数Ｒを算定してもよい。
【００２５】
Ｄ/Ａ変換器２３は、コントローラ２１から出力されるデジタルデータから、回転数Ｒに応じたレベルのアナログの制御信号Ｓcを生成する手段である。この制御信号Ｓcが供給されることによってファン３６は速度Ｖに応じた回転数に制御される。
【００２６】
次に、本実施形態の動作を説明する。コントローラ２１は、所定の間隔でタイマ割込が発生するたびに図４の処理を実行する。すなわち、コントローラ２１はまず、検出装置１０から出力される検出信号Ｓvに基づいて移動体の速度Ｖを特定する（ステップＳ1）。次いで、コントローラ２１は、ステップＳ1で特定した速度Ｖが「20Km/h」を下回るか否かを判定する（ステップＳ2a）。この判定が肯定されると、コントローラ２１は、回転数Ｒとして“0Fh”（ただし「h」は16進表記を意味する）を指定するデジタルデータをＤ/Ａ変換器２３に出力する（ステップＳ2b）。これによりＤ/Ａ変換器２３からは“0Fh”に対応するレベルの制御信号Ｓcが出力され、ファン３６はこの制御信号Ｓcのレベルに応じた回転数Ｒで回転する。
【００２７】
一方、ステップＳ2aの判定が否定された場合（すなわち速度Ｖが「20Km/h」以上である場合）、コントローラ２１は次に、速度Ｖが「40Km/h」を下回るか否かを判定する（ステップＳ3a）。そして、この判定が肯定されると、コントローラ２１は、回転数Ｒとして“3Fh”を指定するデジタルデータをＤ/Ａ変換器２３に出力する（ステップＳ3b）。これによりファン３６は“3Fh”に応じた回転数Ｒで回転する。
【００２８】
その後も同様に速度Ｖが所定の速度と順次に比較され、その比較の結果に応じた回転数Ｒがコントローラ２１によって指定される。すなわち、速度Ｖが「40Km/h」以上「60Km/h」未満である場合（ステップＳ4a：Yes）には“6Fh”が回転数Ｒとして指定され（ステップＳ4b）、速度Ｖが「60Km/h」以上「80Km/h」未満である場合（ステップＳ5a：Yes）には“9Fh”が回転数Ｒとして指定され（ステップＳ5b）、速度Ｖが「80Km/h」以上「100Km/h」未満である場合（ステップＳ6a：Yes）には“CFh”が回転数Ｒとして指定される。さらに、速度Ｖが「100Km/h」以上である場合（ステップＳ6a：No）には、回転数Ｒとして最大値“FFh”が指定される（ステップＳ7）。そして、ステップＳ2bないしステップＳ6bまたはステップＳ7において回転数Ｒを指定すると、コントローラ２１は図４の処理を終了して次回のタイマ割込まで待機する。
【００２９】
以上のように、本実施形態においては、速度Ｖが高いほど回転数が増加するようにファン３６が制御される。換言すると、速度Ｖが低いほど回転数が低減されるようにファン３６が制御される。したがって、移動体の内部にて知覚される走行作動音が小さい場合（すなわち速度Ｖが低い場合）には、ファン３６から発生する冷却作動音が利用者によって耳障りな騒音として知覚される事態は回避される。一方、移動体の内部にて知覚される走行作動音が大きい場合（すなわち速度Ｖが高い場合）にはファン３６の冷却能力が上昇することによって電気光学装置３１を充分に冷却することができる。このときには走行作動音が比較的に大きいから、冷却能力を上昇させて冷却作動音が増大しても、利用者が実際に知覚する冷却作動音は、周囲の音量が小さいときと比較すれば相対的に抑制される。このように、本実施形態によれば、冷却作動音を耳障りな騒音として利用者に知覚させることなく電気光学装置３１を充分に冷却することができる。
【００３０】
＜Ｂ：変形例＞
以上の形態には様々な変形を加えることができる。具体的な変形の態様を例示すれば以下の通りである。なお、以下の各態様を適宜に組み合わせてもよい。
【００３１】
（１）変形例１  
実施形態においては移動体の速度Ｖに基づいてファン３６の回転数が制御される構成を例示したが、電気光学装置３１の周囲の音量（より好適には電気光学装置３１の利用者の近傍における音量）を検出し、この音量に応じてファン３６の回転数を制御する構成としてもよい。例えば、周囲の音量に応じたレベルの検出信号Ｓvを出力する収音機器（例えばマイクロホン）を図１の検出装置１０として採用し、コントローラ２１が検出信号Ｓvのレベルに応じた回転数ＲをＤ/Ａ変換器２３に指定する構成が採用される。この構成においても、実施形態と同様に、電気光学装置３１の周囲の音量が小さいときにはファン３６の冷却作動音を低減する一方、電気光学装置３１の周囲の音量が大きいときにはファン３６の冷却能力を上昇させることによって電気光学装置３１を十分に冷却することができる。また、実施形態の構成に代えて、移動体の加速度に応じてファン３６の回転数が制御される構成としてもよい。このように、本発明においては、電気光学装置３１の周囲の音量に連動して変化する物理量（音量のほかに速度Ｖや加速度を含む）を検出手段が検出する構成であれば足りる。
【００３２】
（２）変形例２  
実施形態においては本発明をインストルメントパネルに採用した構成を例示したが、これ以外の様々な電子機器に本発明を適用することができる。例えば、電気光学装置が表示デバイスとして利用される電子機器としては、パーソナルコンピュータ、携帯電話機、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などがある。ただし、本発明の電子機器における電気光学装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明における電気光学装置が利用される。すなわち、本発明に係る電子機器には、画像形成装置など画像の表示を伴わない機器も含まれる。なお、移動体への設置が前提とされない電子機器においては、冷却機構の制御の基準として移動体の速度を使用することができない。したがって、この種の電子機器においては、例えば変形例１として説明したように、その周囲の音量をマイクロホンなどの機器によって検出し、その検出の結果に応じて冷却機構が制御される構成が採用される。
【００３３】
（３）変形例３  
実施形態においては、複数のフィン３４３が等間隔に配置された構成を例示した。しかしながら、電気光学素子Ｐの配列の態様によっては、これらが配列された領域（以下「素子領域」という）のうち特定の領域が他の領域と比較して高温となるといった具合に温度が不均一となる場合もある。そこで、このような構成のもとでも効率的な冷却が実現されるように放熱部３４の形状が選定されることが望ましい。
【００３４】
例えばいま、図５に示されるように、素子領域Ａに電気光学素子Ｐがマトリクス状に配列された構成を想定する。この素子領域Ａのうち中央寄りの領域Ａ1に属する電気光学素子Ｐの各々はその全周にわたって他の電気光学素子Ｐに包囲されている。これに対し、領域Ａ1よりも素子領域Ａの周縁寄りの領域Ａ2に位置する電気光学素子Ｐは他の電気光学素子Ｐによって完全には包囲されていない。ここで、各電気光学素子Ｐが熱源となることを考慮すると、領域Ａ1に属する各電気光学素子Ｐは、より多数の熱源（電気光学素子Ｐ）に包囲されている分だけ領域Ａ2の電気光学素子Ｐよりも高温になり易いと言える。そこで、図６に示されるように、領域Ａ1と重なり合う各フィン３４３の間隔ｄ1が、領域Ａ2と重なり合う各フィン３４３の間隔ｄ2よりも狭くなるように（すなわち領域Ａ1に対応する複数のフィン３４３が領域Ａ2に対応する複数のフィン３４３よりも密に分布するように）、放熱部３４の形状が選定される。この構成において、相互に狭い間隔ｄ1で配置された領域Ａ1のフィン３４３は領域Ａ2のフィン３４３よりも熱放射の能力が高いから、電気光学素子Ｐの配列の態様に起因して素子領域Ａの温度が不均一となるような構成においても効率的に電気光学装置３１を冷却することができる。
【図面の簡単な説明】
【００３５】
【図１】本発明の実施形態に係る電子機器の構成を示すブロック図である。
【図２】電気光学装置とその周辺の要素との構成を示す断面図である。
【図３】電気光学装置の背面側にファンが配置された様子を示す平面図である。
【図４】コントローラの動作を説明するためのフローチャートである。
【図５】変形例に係る電気光学素子の配列の態様を示す平面図である。
【図６】変形例に係る放熱部の形状を示す断面図である。
【符号の説明】
【００３６】
Ｄ……電子機器、１０……検出装置、２０……制御装置、２１……コントローラ、２３……Ｄ/Ａ変換器、３１……電気光学装置、Ｐ……電気光学素子、３４……放熱部、３４３……フィン、３４５……熱伝導部、３６……ファン。
【図１】
2006313188.tif 000003
【図２】
2006313188.tif 000004
【図３】
2006313188.tif 000005
【図４】
2006313188.tif 000006
【図５】
2006313188.tif 000007
【図６】
2006313188.tif 000008